(57)【特許請求の範囲】
【請求項１】
一枚のフィルム片からなり、
装着時に顔面の前方に位置するシールド部と、
装着時に額と前記シールド部との間に位置し、前記顔面と前記シールド部との間にスペースを形成するスペーサー部と、を有し、
前記スペーサー部は、
前記シールド部から延出し前記シールド部の幅方向に並んで配置されている複数の当接部と、
複数の前記当接部の先端部同士を接続する接続部と、を有し、
前記接続部の表面を前記シールド部の裏面に重ね合わせ、
前記当接部を弾性変形させた状態で前記シールド部に係止し、前記シールド部の裏側へ突出するアーチ状とすることにより前記スペースを形成することを特徴とするフェイスシールド。
【請求項２】
前記接続部は、
前記当接部と前記シールド部の境界部に係止される第１係止部と、
前記シールド部に係止される第２係止部と、を有する請求項１に記載のフェイスシールド。
【請求項３】
前記シールド部の幅方向両側には、貫通孔が形成されている請求項１または２に記載のフェイスシールド。
【請求項４】
一枚のフィルム片からなり、
装着時に顔面の前方に位置するシールド部と、
装着時に額と前記シールド部との間に位置し、前記顔面と前記シールド部との間にスペースを形成するスペーサー部と、を有し、
前記スペーサー部は、
当接部と、
前記当接部と前記シールド部を連結する連結部と、を有し、
前記連結部と前記当接部は、折罫線で仕切られ、
前記折罫線は、前記連結部側に凸のアーチ状であり、
前記当接部の裏面を前記シールド部の裏面と間隔を空けて対向させ、
前記当接部を使用者の額に当接させることにより前記スペースが形成されることを特徴とするフェイスシールド。
【請求項５】
前記当接部は、その両端部において前記シールド部に接続される請求項４に記載のフェイスシールド。
【発明の詳細な説明】
【技術分野】
【０００１】
本発明は、フェイスシールドに関する。
【背景技術】
【０００２】
従来から、飛沫感染を防ぐために顔面を覆うように装着されるフェイスシールドが知られている。例えば、特許文献１のフェイスシールドは、首に装着される装着部と、装着部に装着され、顔面を覆うように設けられたシールド部と、を有する。
【先行技術文献】
【特許文献】
【０００３】
【特許文献１】特開２００９−１８９５４３号公報
【発明の概要】
【発明が解決しようとする課題】
【０００４】
特許文献１のフェイスシールドでは、その構造上、顔面とシールド部との間にスペースを形成し難く、使用中にシールド部が顔面に接触し易い。そのため、特許文献１のフェイスシールドは、使用感が悪い。また、特許文献１には、装着部とシールド部との間に棒状のスペーサーを配置して、顔面とシールド部との間にスペースを形成する構成も記載されている。しかしながら、スペーサーを取り付ける分、構成が複雑化する。
【０００５】
本発明は、このような問題点に鑑みてなされたものであり、簡単な構成で顔面とシールド部との間にスペースを形成することができ、その使用感にも優れたフェイスシールドを提供することを目的とする。
【課題を解決するための手段】
【０００６】
このような目的は、以下（１）〜（９）の本発明により達成される。
【０００７】
（１）  一枚のフィルム片からなり、
装着時に顔面の前方に位置するシールド部と、
装着時に額と前記シールド部との間に位置し、前記顔面と前記シールド部との間にスペースを形成するスペーサー部と、を有することを特徴とするフェイスシールド。
【０００８】
（２）  前記スペーサー部は、前記シールド部から延出する当接部を有し、
前記当接部を弾性変形させた状態で前記シールド部に係止し、前記シールド部の裏側へ突出するアーチ状とすることにより前記スペースを形成する上記（１）に記載のフェイスシールド。
【０００９】
（３）  前記当接部は、前記シールド部の幅方向に並んで複数配置されている上記（２）に記載のフェイスシールド。
【００１０】
（４）  前記スペーサー部は、複数の前記当接部の先端部同士を接続する接続部を有し、
前記接続部の表面を前記シールド部の裏面に重ね合わせることにより、各前記当接部が前記アーチ状となる上記（３）に記載のフェイスシールド。
【００１１】
（５）  前記接続部は、
前記当接部と前記シールド部の境界部に係止される第１係止部と、
前記シールド部に係止される第２係止部と、を有する上記（４）に記載のフェイスシールド。
【００１２】
（６）  前記シールド部の幅方向両側には、貫通孔が形成されている上記（２）から（５）のいずれかに記載のフェイスシールド。
【００１３】
（７）  前記スペーサー部は、当接部と、前記当接部と前記シールド部を連結する連結部と、を有し、
前記当接部の裏面を前記シールド部の裏面と間隔を空けて対向させ、
前記当接部を使用者の額に当接させることにより前記スペースが形成される上記（１）に記載のフェイスシールド。
【００１４】
（８）  前記連結部と前記当接部は、折罫線で仕切られ、
前記折罫線は、前記連結部側に凸のアーチ状である上記（７）に記載のフェイスシールド。
【００１５】
（９）  前記当接部は、その両端部において前記シールド部に接続される上記（７）または（８）に記載のフェイスシールド。
【発明の効果】
【００１６】
このような本発明によれば、スペーサー部を有するフェイスシールドを１枚のフィルム片から形成することができる。そのため、簡単な構成で顔面とシールド部との間にスペースを形成することができ、その使用感にも優れたフェイスシールドとなる。
【図面の簡単な説明】
【００１７】
【図１】第１実施形態に係るフェイスシールド片を表面から見た展開図である。
【図２】フェイスシールドを使用者に装着した状態を示す斜視図である。
【図３】フェイスシールド片の組み立て方を示す断面図である。
【図４】フェイスシールド片の組み立て方を示す断面図である。
【図５】第２実施形態に係るフェイスシールド片を表面から見た展開図である。
【図６】フェイスシールドを使用者に装着した状態を示す斜視図である。
【図７】フェイスシールド片の組み立て方を示す斜視図である。
【発明を実施するための形態】
【００１８】
以下、本発明のフェイスシールドの好適な実施形態を添付図面に基づいて詳細に説明する。なお、以下では、説明の便宜上、図１中の上側を「上」、下側を「下」とする。また、フェイスシールド片１０の表面が凸になる折り方を「正折り」とも言い、反対に、裏面が凸になる折り方を「逆折り」とも言う。
【００１９】
＜第１実施形態＞
図１は、第１実施形態に係るフェイスシールド片１０を表面から見た展開図である。図２は、フェイスシールド１を使用者Ｕに装着した状態を示す斜視図である。また、図３および図４は、フェイスシールド片１０の組み立て方を示す断面図である。
【００２０】
本実施形態のフェイスシールド１は、プラスチックフィルム等のコシのある１枚の透明フィルムを打ち抜いて形成されたフェイスシールド片１０（フィルム片）を組み立てて形成される。透明フィルムとしては、無色透明フィルムが好ましく用いられるが、有色透明フィルムを用いることもできる。また、着色により一部が不透明となっているフィルムを用いることもできる。また、透明フィルムは、単層構造であってもよいし、複数の層が積層された積層構造であってもよい。
【００２１】
図１に示すように、このようなフェイスシールド片１０は、シールド部１１と、スペーサー部１２と、を有する。
【００２２】
図２に示すように、シールド部１１は、フェイスシールド１を使用者Ｕに装着した状態（以下、「装着状態」ともいう。）で使用者Ｕの顔面Ｕ１の正面（前方）に位置し、顔面Ｕ１を覆う。一方、スペーサー部１２は、装着状態で、顔面Ｕ１とシールド部１１との間に、これらの接触を抑制するためのスペースＳを形成する。スペースＳを形成することにより、シールド部１１が顔面Ｕ１に接触する不快感、違和感を抑制することができる。また、スペーサー部１２を設けることにより、スペースＳを形成するためにシールド部１１が顔面Ｕ１に対して不自然に傾く等の不自然な姿勢となり難くなる。また、顔面Ｕ１とシールド部１１との間の通気性が向上し、シールド部１１の曇り等を抑制することもできる。そのため、優れた使用感を有するフェイスシールド１となる。
【００２３】
図２に示すように、シールド部１１は、顔面の必要部分、特に眼、鼻、口を覆うのに十分な大きさを有する。そのため、シールド部１１によって唾、血液等の飛沫を効果的にガードすることができる。また、図１に示すように、シールド部１１は、一対のスリット１５１（挿入部）を有する。スリット１５１は、スペーサー部１２をシールド部１１に係止するのに用いられる。また、スリット１５１は、シールド部１１の中央部を避けて、その両側に分かれて配置されている。そのため、使用者Ｕの視界にスリット１５１が入り難くなり、高い視認性が確保される。スリット１５１は、上側に凸のアーチ状をなす。ただし、スリット１５１の形状は、特に限定されない。また、スリット１５１の位置や数についても特に限定されず、例えば、シールド部１１の中央部にスリット１５１を増設してもよい。
【００２４】
また、図１に示すように、シールド部１１は、幅方向の両側に突出した一対の突出部１１３を有する。そして、各突出部１１３には貫通孔１１４が形成されている。図２に示すように、貫通孔１１４に紐８を挿通し、紐８を頭部に巻き付けることにより、フェイスシールド１を使用者Ｕに装着することができる。このような方法によれば、フェイスシールド１の装着が容易となる。ただし、フェイスシールド１の装着方法は、特に限定されない。例えば、使用者Ｕの頭部にヘッドバンドを装着し、このヘッドバンドに設けられた突起を貫通孔１１４に挿入することによりフェイスシールド１を装着してもよい。また、貫通孔１１４を省略し、貫通孔１１４以外の方法によって装着してもよい。
【００２５】
図１に示すように、スペーサー部１２は、組立前の状態においてシールド部１１の上端部から上方に延出した帯状をなす３本の当接部１２１と、各当接部１２１を接続する接続部１２２と、を有する。当接部１２１は、装着状態において使用者Ｕの額に当接する部分であり、接続部１２２は、３本の当接部１２１をまとめてシールド部１１に係止するための部分である。
【００２６】
３本の当接部１２１は、互いに間隔を隔ててフェイスシールド片１０の幅方向に均等に並んで配置され、このうち中央の当接部１２１は、シールド部１１の中心線Ｑ上に位置する。また、各当接部１２１とシールド部１１は、折罫線１３１で仕切られ、これらを折り曲げ易くなっている。
【００２７】
また、中央の当接部１２１を除き、その両側に位置する２本の当接部１２１とシールド部１１の境界部にはスリット１５２（挿入部）が形成されている。スリット１５２は、スペーサー部１２をシールド部１１に係止するのに用いられる。スリット１５２は、折罫線１３１から当接部１２１側に突出した凸状をなす。ただし、スリット１５２の形状は、特に限定されない。また、スリット１５２の位置や数についても、特に限定されず、例えば、中央の当接部１２１とシールド部１１の境界部にスリット１５１を増設してもよい。なお、以下では、説明の便宜上、中央の当接部１２１と区別するために、その両側に位置する２本の当接部１２１を「当接部１２１Ａ」とも言う。
【００２８】
接続部１２２は、組立前の状態において、３本の当接部１２１の上側に位置する。接続部１２２は、フェイスシールド片１０の幅方向に延在する長尺状をなし、当接部１２１の先端部同士を接続している。また、接続部１２２の幅Ｗは、当接部１２１の長さＬよりも短い。つまり、Ｗ＜Ｌである。接続部１２２と当接部１２１は、折罫線１３２で仕切られており、これらを折り曲げ易くなっている。
【００２９】
また、接続部１２２は、スリット１５２に挿入され、当接部１２１Ａとシールド部１１の境界部に係止される一対の第１係止部１４１と、スリット１５１に挿入され、シールド部１１に係止される一対の第２係止部１４２と、を有する。
【００３０】
第１係止部１４１は、スリット１５２に挿入可能な凸形状をなし、接続部１２２の上端部から上側に向けて突出している。同様に、第２係止部１４２は、スリット１５１に挿入可能な凸形状をなし、接続部１２２の下端部から下側に向けて突出している。なお、接続部１２２と当接部１２１Ａとの境界部には第２係止部１４２を形成するためのスリット１５３が形成され、接続部１２２と当接部１２１Ａを折り曲げることにより、第２係止部１４２が出現する。
【００３１】
以上、フェイスシールド片１０について説明した。次に、フェイスシールド片１０を組み立ててフェイスシールド１を形成する手順について説明する。
【００３２】
まず、図３に示すように、折罫線１３１に沿ってシールド部１１と当接部１２１を正折りし、折罫線１３２に沿って接続部１２２と当接部１２１を正折りし、当接部１２１を裏面側に弾性変形つまり湾曲させて、接続部１２２の表面をシールド部１１の裏面に対向させる。次に、図４に示すように、第１係止部１４１をスリット１５２に挿入し、第２係止部１４２をスリット１５１に挿入する。その結果、当接部１２１が接続部１２２を介してシールド部１１に係止される。前述したように、接続部１２２の幅Ｗ＜当接部１２１の長さＬであるため、当接部１２１がシールド部１１に係止された状態では、当接部１２１がシールド部１１の裏面側にアーチ状に突出した状態となる。以上により、フェイスシールド片１０からフェイスシールド１が組み立てられる。
【００３３】
このように、当接部１２１をアーチ状に突出した状態とすることにより、スペースＳを容易に形成することができる。また、接続部１２２によって３本の当接部１２１をまとめてシールド部１１に係止することができるため、フェイスシールド１の組み立てが容易となる。また、第１係止部１４１および第２係止部１４２を用いて、接続部１２２をその幅方向の両側においてシールド部１１に係止することができるため、係止状態がより強固なものとなる。
【００３４】
特に、本実施形態では、スリット１５１がアーチ状に湾曲しており、これにより、スリット１５１で囲まれた舌片１６が形成される。そのため、第２係止部１４２をスリット１５１に挿入すると、それと同時に舌片１６がスリット１５３に挿入され、これらがより強固に係合する。
【００３５】
以上のような手順でフェイスシールド１を組み立てた後、一方の貫通孔１１４に紐８の一端部を挿通し、引き抜けないように結び目を形成する。同様に、他方の貫通孔１１４に紐８の他端部を挿通し、引き抜けないように結び目を形成する。そして、長さを調節した上で紐８を使用者Ｕの頭部に巻き付けることにより、図２に示すように、使用者Ｕにフェイスシールド１が装着される。装着状態では、アーチ状に湾曲した当接部１２１の頂部が使用者Ｕの額と接触する。これにより、スペーサー部２２によって顔面Ｕ１とシールド部１１との間にスペースＳが形成される。特に、当接部１２１がアーチ状に弾性変形しているため、額との接触により額の形状に倣って変形し、フィット感が増す。また、３本の当接部１２１を互いに離間して配置したため、装着時に、シールド部１１が額の形状に倣って容易に湾曲変形する。また、風通しがよくなり、シールド部１１の曇り等を抑制することができる。そのため、高い使用感を得ることができる。
【００３６】
以上、フェイスシールド１について詳細に説明した。このような構成によれば、スペーサー部１２を有するフェイスシールド１を１枚のフェイスシールド片１０から形成することができる。そのため、簡単な構成で顔面Ｕ１とシールド部１１との間にスペースＳを形成することができ、その使用感にも優れたフェイスシールド１が得られる。
【００３７】
なお、フェイスシールド１の構成としては、特に限定されない。例えば、折罫線１３１、１３２の少なくとも１つを省略してもよい。また、当接部１２１の数は、３本に限定されず、１本または２本であってもよいし、４本以上であってもよい。また、第１係止部１４１を省略し、第２係止部１４２だけで接続部１２２をシールド部１１に係止してもよいし、第２係止部１４２を省略し、第１係止部１４１だけで接続部１２２をシールド部１１に係止してもよい。また、第１係止部１４１および第２係止部１４２を省略し、別の方法を用いて接続部１２２をシールド部１１に係止してもよい。また、接続部１２２を省略し、当接部１２１を直接シールド部１１に係止してもよい。
【００３８】
＜第２実施形態＞
図５は、第２実施形態に係るフェイスシールド片を表面から見た展開図である。図６は、フェイスシールドを使用者に装着した状態を示す斜視図である。図７は、フェイスシールド片の組み立て方を示す斜視図である。
【００３９】
本実施形態のフェイスシールド２は、前述した第１実施形態のフェイスシールド１と同様、プラスチックフィルム等のコシのある１枚の透明フィルムを打ち抜いて形成されたフェイスシールド片２０（フィルム片）を組み立てて形成される。透明フィルムとしては、無色透明フィルムが好ましく用いられるが、有色透明フィルムを用いることもできる。また、着色により一部が不透明となっているフィルムを用いることもできる。また、透明フィルムは、単層構造であってもよいし、複数の層が積層された積層構造であってもよい。
【００４０】
図５に示すように、フェイスシールド片２０は、シールド部２１と、スペーサー部２２と、を有する。
【００４１】
図６に示すように、シールド部２１は、装着状態で、顔面Ｕ１の正面（前方）に位置し、顔面Ｕ１を覆う。一方、スペーサー部２２は、装着状態で顔面Ｕ１とシールド部２１との間に、これらの接触を抑制するスペースＳを形成する。スペースＳを形成することにより、シールド部２１が顔面Ｕ１に接触する不快感、違和感を抑制することができる。また、スペースＳを形成するために、シールド部２１が顔面Ｕ１に対して不自然に傾く等の不自然な姿勢となることを抑制することができる。そのため、優れた使用感を有するフェイスシールド２となる。
【００４２】
シールド部２１は、顔面Ｕ１の必要部分、特に眼、鼻、口を覆うのに十分な大きさを有する。そのため、シールド部２１によって唾、血液等の飛沫を効果的にガードすることができる。また、シールド部２１は、縦方向に延びる一対の折罫線２３１を有する。一対の折罫線２３１は、シールド部２１の中央部を避け、幅方向両側に分かれて配置されている。各折罫線２３１に沿ってシールド部２１を正折りしてシールド部２１を立体形状とすることによりシールド部２１の剛性を高めることができる。そのため、装着時におけるシールド部２１の変形が抑制され、高い使用感を有するフェイスシールド２となる。
【００４３】
特に、折罫線２３１をシールド部２１の中央部を避けて配置しているため、折罫線２３１が使用者Ｕの視界に入り難く、高い視認性を確保することができる。ただし、シールド部２１の構成は、特に限定されず、例えば、折罫線２３１を省略してもよいし、折罫線２３１の配置を変更してもよいし、別の折罫線を追加してもよい。
【００４４】
スペーサー部２２は、組立前の状態においてシールド部２１の上方に位置する当接部２２１と、当接部２２１とシールド部２１を連結する連結部２２２と、シールド部２１から突出し、組立時に当接部２２１の両端部と接続される一対の突出部２２３と、を有する。
【００４５】
当接部２２１は、フェイスシールド片２０の幅方向に延在する長尺状をなす。また、当接部２２１は、その両端部において斜め上方（シールド部２１と反対側）に屈曲している。また、当接部２２１の両端部には、それぞれ、一対の貫通孔２５１、２５４が形成されている。これら貫通孔２５１、２５４は、突出部２２３との接続に用いられる。
【００４６】
連結部２２２は、当接部２２１に対して十分に細く、中心線Ｑに沿って延在する帯状をなす。連結部２２２とシールド部２１は、折罫線２３２で仕切られ、これらを折り曲げ易くなっている。また、当接部２２１と連結部２２２は、折罫線２３３で仕切られ、これらを折り曲げ易くなっている。特に、折罫線２３３は、連結部２２２側に凸となるように湾曲したアーチ状となっている。そのため、連結部２２２に対して当接部２２１を折り曲げると、当接部２２１は、折罫線２３３の形状に倣って、その厚さ方向にアーチ状に湾曲する。そのため、当接部２２１が使用者Ｕの額にフィットし易くなる。
【００４７】
突出部２２３には、一対の貫通孔２５２、２５３が形成されている。これら貫通孔２５２、２５３は、当接部２２１との接続に用いられる。また、突出部２２３とシールド部２１は、折罫線２３４で仕切られ、これらを折り曲げ易くなっている。ここで、一方の突出部２２３に形成された貫通孔２５２、２５３と他方の突出部２２３に形成された貫通孔２５２、２５３の離間距離Ｄ１は、当接部２２１の一端部に形成された貫通孔２５１、２５４と他端部に形成された貫通孔２５１、２５４の離間距離Ｄ２よりも長い。つまり、Ｄ１＞Ｄ２である。
【００４８】
以上、フェイスシールド片２０について説明した。次に、フェイスシールド片２０を組み立ててフェイスシールド２を形成する手順について説明する。
【００４９】
まず、折罫線２３２に沿ってシールド部２１と連結部２２２を略直角に正折りすると共に、折罫線２３３に沿って当接部２２１と連結部２２２を略直角に正折りし、当接部２２１の裏面をシールド部２１の裏面と間隔Ｇを空けて対向させる。次に、折罫線２３４に沿って突出部２２３とシールド部２１を正折りする。また、折罫線２３１に沿ってシールド部２１を正折りし、シールド部２１を立体形状とする。
【００５０】
この状態では、当接部２２１と突出部２２３は、接続されていない。当接部２２１と突出部２２３は、フェイスシールド２を頭部に装着する際に用いる紐８を用いて接続される。例えば、当接部２２１の端部と突出部２２３とを重ね合わせた状態で、図７中の矢印で示すように、紐８を裏面側から貫通孔２５１、２５２に順に挿通して表面側に引き出した後、Ｕターンさせて貫通孔２５３、２５４に順に挿通して裏面側に引き出す。そして、紐８が引き抜けないように、その端部に結び目を形成することにより、当接部２２１と突出部２２３が接続される。ただし、当接部２２１と突出部２２３の接続方法は、これに限定されず、紐８以外の方法によって接続してもよい。
【００５１】
なお、前述したように、フェイスシールド片２０ではＤ１＞Ｄ２となっているため、当接部２２１と突出部２２３を接続することにより、当接部２２１の両端部においても十分な大きさの間隔Ｇを確保することができる。すなわち、当接部２２１の中央部においては連結部２２２によって間隔Ｇが確保され、当接部２２１の両端部においては突出部２２３によって間隔Ｇが確保される。
【００５２】
上述の手順でフェイスシールド２を組み立てた後、紐８の長さを調節した上で、紐８を頭部に巻き付けることにより、使用者Ｕにフェイスシールド２が装着される。装着状態では、当接部２２１が使用者Ｕの額と接触し、顔面Ｕ１とシールド部２１との間に、間隔ＧによるスペースＳが形成される。
【００５３】
以上、フェイスシールド２について詳細に説明した。このような構成によれば、スペーサー部２２を有するフェイスシールド２を１枚のフェイスシールド片２０から形成することができる。そのため、簡単な構成で顔面Ｕ１とシールド部２１との間にスペースＳを形成することができ、その使用感にも優れたフェイスシールド２が得られる。
【００５４】
なお、フェイスシールド２の構成としては、特に限定されない。例えば、折罫線２３１〜２３４の少なくとも１つを省略してもよい。また、連結部２２２の数は、１本に限定されず、２本以上であってもよい。
【００５５】
以上、本発明のフェイスシールドを図示の実施形態に基づいて説明したが、本発明のフェイスシールドは、これに限定されるものではなく、各部の構成は、同様の機能を有する任意の構成のものに置換することができる。また、本発明に、他の任意の構成物が付加されていてもよい。また、本発明は、前記各実施形態のうちの、任意の２以上の構成を組み合わせたものであってもよい。
【符号の説明】
【００５６】
１          フェイスシールド
１０        フェイスシールド片
１１        シールド部
１１３      突出部
１１４      貫通孔
１２        スペーサー部
１２１      当接部
１２１Ａ    当接部
１２２      接続部
１３１      折罫線
１３２      折罫線
１４１      第１係止部
１４２      第２係止部
１５１      スリット
１５２      スリット
１５３      スリット
１６        舌片
２          フェイスシールド
２０        フェイスシールド片
２１        シールド部
２２        スペーサー部
２２１      当接部
２２２      連結部
２２３      突出部
２３１      折罫線
２３２      折罫線
２３３      折罫線
２３４      折罫線
２５１      貫通孔
２５２      貫通孔
２５３      貫通孔
２５４      貫通孔
８          紐
Ｄ１        離間距離
Ｄ２        離間距離
Ｑ          中心線
Ｓ          スペース
Ｕ          使用者
Ｕ１        顔面
【要約】
【課題】簡単な構成で顔面とシールド部との間にスペースを形成することができ、その使用感にも優れたフェイスシールドを提供すること。
【解決手段】フェイスシールド１は、一枚のフィルム片から成り、顔面Ｕ１の前方に配置されるシールド部１１と、装着時に、額とシールド部１１との間に位置し、顔面Ｕ１とシールド部１１との間にスペースＳを形成するスペーサー部１２と、を有する。スペーサー部１２は、シールド部１１の上端部から延出する当接部１２１を有し、当接部１２１をシールド部１１の裏側に弾性変形させた状態でシールド部１１に係止することにより、シールド部１１の裏側へ突出するアーチ状とする。そして、当接部１２１を使用者Ｕの額に当接させることによりスペースＳが形成される。
【選択図】図２【図１】
0006830559.tif 000002
【図２】
0006830559.tif 000003
【図３】
0006830559.tif 000004
【図４】
0006830559.tif 000005
【図５】
0006830559.tif 000006
【図６】
0006830559.tif 000007
【図７】
0006830559.tif 000008